(57)【要約】【課題】  かご１から降りる利用者２４が容易に操作できる戸閉促進手段１９及び２１を備えたエレベータの戸閉装置を提供することを目的とする。【解決手段】  人為操作によって作動して戸開放時間の経過前にかご戸１２の戸閉動作を開始させる戸閉促進手段１９及び２１を、かご１の出入口４を縁取るかご出入口枠５及び６に設けて、かご１から降りる利用者２４が戸閉促進操作を容易に行うことができるようにして、無為に戸１２が開放されて時間を浪費するのを阻止するようにしたものである。【選択図】        図１
2005306594.tif 000002
【特許請求の範囲】
【請求項１】
かごの出入口を開閉するかご戸が開いてから予め定められた戸開放時間が経過すると上記かご戸を閉じ始めるエレベータの戸閉装置において、人為操作によって作動して上記戸開放時間の経過前に上記かご戸の戸閉動作を開始させる戸閉促進手段が、上記出入口を縁取るかご出入口枠に設けられたエレベータの戸閉装置。
【請求項２】
かごの出入口を開閉するかご戸が開いてから予め定められた戸開放時間が経過すると上記かご戸を閉じ始めるエレベータの戸閉装置において、人為操作によって作動して上記戸開放時間の経過前に上記かご戸の戸閉動作を開始させる戸閉促進手段と、人為操作によって作動して上記戸開放時間の経過後も継続して戸を開放させると共に戸閉動作中の上記かご戸を反転させて戸開きさせる戸開手段が、それぞれ上記出入口を縁取るかご出入口枠に設けられたエレベータの戸閉装置。
【請求項３】
戸閉促進手段を、かごが現に停止している停止階に乗場呼びが登録されておらず、かつ、上記停止階を除く他階に乗場呼びが登録されている場合に、人為操作によって作動して戸閉動作を開始させるものとした請求項１又は請求項２に記載のエレベータの戸閉装置。
【請求項４】
請求項１の戸閉促進手段、又は、請求項２の戸閉促進手段及び戸開手段を、出入口の縦枠に沿って上下方向に延設されたテープスイッチとしたエレベータの戸閉装置。
【発明の詳細な説明】
【技術分野】
【０００１】
この発明は、エレベータの戸の開放時間の経過前に戸閉めを開始させる戸閉促進操作を容易に行うことができるエレベータの戸閉装置に係る。
【背景技術】
【０００２】
従来、エレベータの戸閉を阻止する戸開釦の設置については、例えば、特許文献１によると、車椅子利用者と健常者の双方の操作性を考慮したものが開示されている。
しかしながら、戸閉釦による戸閉促進操作については、その操作性に関する先行技術文献は見当たらなかった。
そこで、従来から現実に行われている戸閉促進操作について、図８に従って説明する。
即ち、かご１は、かご床２とかご天井３と側壁９及び１１と出入口４側に立設された袖壁８及び１０とからなっている。この袖壁８及び１０の出入口４側の端部は、出入口４を縁取るかご出入口枠５及び６を構成している。かご出入口枠５及び６の間には、かご出入口上枠７が股設されている。また、出入口４は、かご戸１２と乗場戸１３によって開閉される。かご操作盤１５には、かご呼び釦１８と、戸開放時間の経過前に、かご戸１２の戸閉動作を開始させる戸閉釦１６と、戸閉動作中のかご戸１２を反転させる戸開釦１７が、それぞれ取り付けられている。
【０００３】
上記のエレベータにおいて、利用者２４が、自身が降りることによって、かご１内が空になると判断した場合、かご１から乗場１４へ降りるとき、かご操作盤１５に取り付けられている戸閉釦１６を操作して戸開放時間の経過を待たずに戸閉動作を開始させるようにしていた。この操作により、他階の利用者の待ち時間が短縮され、その結果エレベータの輸送能力が向上することになる。
【０００４】
【特許文献１】特開２００２−１４５５６３号公報（段落番号００３０から００３５、及び第１図）
【発明の開示】
【発明が解決しようとする課題】
【０００５】
従来のエレベータの戸閉装置では、戸閉促進、即ち、戸開放時間の経過を待たずに戸閉動作を開始させるには、かご操作盤１５に取り付けられた戸閉釦１６を操作するしか他に方法はなかった。かご操作盤１５は、出入口４に近い位置に設置されてはいるが、かご１内で操作されることを前提としたものである。
このため、かご１から降りるときに戸閉釦１６を操作しようとすると、腕を伸ばして操作し、操作したならば閉じて来るかご戸１２及び乗場戸１３を避けるために、素早くかご１から乗場１４へ降りなければならない。こうした操作は限られた利用者２４にしかできない、という問題があった。
【０００６】
この発明は、上記問題点を解決するためになされたものであり、かごから降りる利用者が容易に操作できる戸閉促進手段を備えたエレベータの戸閉装置を提供することを目的とする。
また、戸開放時間が経過して戸が閉じ始めるのを阻止すると共に、戸閉動作中のかご戸を反転させて戸開きさせる戸開手段を、乗降する利用者が容易に操作できるようにしたエレベータの戸閉装置を提供することを目的とする。
【課題を解決するための手段】
【０００７】
この発明に係るエレベータの戸閉装置は、人為操作によって作動して戸開放時間の経過前にかご戸の戸閉動作を開始させる戸閉促進手段を、かごの出入口を縁取るかご出入口枠に設けたものである。
【０００８】
また、この発明に係る他のエレベータの戸閉装置は、人為操作によって作動して戸開放時間の経過前にかご戸の戸閉動作を開始させる戸閉促進手段と、人為操作によって作動して戸開放時間の経過後も継続して戸を開放させると共に戸閉動作中のかご戸を反転させて戸開きさせる戸開手段とを、それぞれ出入口を縁取るかご出入口枠に設けたものである。
【発明の効果】
【０００９】
上記のとおり、この発明に係るエレベータの戸閉装置は、戸閉促進手段を、かごの出入口を縁取るかご出入口枠に設けたので、かごから降りる利用者は戸閉促進操作を容易に行うことができる。延いては、無為に戸を開放して時間を浪費するのを阻止することができる、という効果を奏する。
【００１０】
また、この発明に係る他のエレベータの戸閉装置は、戸閉促進手段と戸開手段とをかごの出入口を縁取るかご出入口枠に設けたものである。
このため、かごから降りる利用者は戸閉促進手段を容易に操作することができると共に、かごに乗り込む利用客は戸開手段を容易に操作して戸閉阻止行うことができるので、利用客の乗降の実情に合った戸の開閉を行わせることができる。このものにあっても、無為に戸が開放されるのを容易に阻止することができると共に、利用者の乗込み中に戸が閉じ始めるのを容易に阻止することができる、という効果を奏する。
【発明を実施するための最良の形態】
【００１１】
以下、図面を参照して、この発明の実施の形態について説明する。なお、各図中、同一又は相当する部分には同一符号を付し、説明の重複を省いた。
実施の形態１．
図１から図６は、この発明の実施の形態１を示す。
図１は、透視投影法によるエレベータのかご内から見た出入口部分の正面図である。図２は、図１に示すＩＩ−ＩＩ線断面を矢視した断面図である。両図に基づいて、この発明に係る戸閉促進手段が取り付けられたエレベータのかごについて述べる。
【００１２】
図は、かご１が乗場１４に着床して、かご戸１２及び乗場戸１３を開いている状態を示す。即ち、かご１は左右の側部に、かご床２からかご天井３へ向けて側壁９及び１１が立設されている。また、出入口４側には、袖壁８及び１０が立設されている。この袖壁８及び１０の出入口４側の端部は、出入口４を縁取るかご出入口枠５及び６を構成している。かご出入口枠５及び６の間には、かご出入口上枠７が股設されており、かご出入口上枠７には、かご位置表示器２３が取り付けられている。
また、出入口４は、中央開き戸であるかご戸１２と乗場戸１３によって開閉される。袖壁８には、かご操作盤１５が取り付けられている。このかご操作盤１５には、かご呼び釦１８と、戸開放時間の経過前に、かご戸１２の戸閉動作を開始させる戸閉促進手段としての戸閉釦１６と、戸閉動作中のかご戸１２を反転させる戸開手段としての戸開釦１７が、それぞれ取り付けられている。
【００１３】
一方のかご出入口枠５には、戸閉促進手段としての戸閉促進スイッチ１９と、その戸閉促進スイッチ１９が作動可能状態にあることを点滅点灯で表示する戸閉促進表示ランプ２０が取り付けられている。他方のかご出入口枠６にも、同様に戸閉促進スイッチ１９と戸閉促進表示ランプ２０が取り付けられている。
また、図２に示したとおり、かご１の背面側には、側壁２５が立設されている。乗場１４側の昇降路壁２６には、出入口４を仕切る縦枠２７及び２８が取り付けられている。更に、乗場呼びを登録する乗場釦２９も取り付けられている。
【００１４】
図３は、図２のＩＩＩ−ＩＩＩ線断面を矢視したかご１の部分断面図である。戸閉促進スイッチ１９は、出入口４のかご出入口枠５に沿って上下方向に穿設された長穴に嵌め込まれて延設されたテープスイッチからなるものである。戸閉促進表示ランプ２０もかご出入口枠５に嵌設されている。戸閉促進スイッチ２１及び戸閉促進表示ランプ２２も同様に構成されている。
図４は、図３のＩＶ−ＩＶ線断面を矢視したかご出入口枠５の横断面図である。戸閉促進スイッチ１９は、操作部１９ａを露出させ、背面はブラケット３０を介してかご出入口枠５に取り付けられている。操作部１９ａを押すと、可動接点１９ｂと固定接点１９ｃが導通して戸閉促進スイッチ１９の作動信号を戸閉促進制御回路４４へ入力する。
また、かご戸１２には、周知の戸安全スイッチ４６が組み込まれていて、利用者２４が戸１２及び１３に挟まるのを阻止するようになっている。
【００１５】
図５は、戸閉促進制御回路４４の動作を示す流れ図である。この流れ図の処理は、一定時間間隔を置いて行われる処理である。
手順Ｓ１１で、戸１２及び１３が開放された状態にあるか否か調べる。開放されていない場合、即ち、戸１２及び１３が閉じているとき又は戸開き動作中のときは、手順Ｓ１７へ移り、かご出入口枠５及び６の戸閉促進スイッチ１９及び２１を無効にする。即ち、操作しても戸閉促進動作は行われない。続いて、その旨を利用者２４に知得させるために手順Ｓ１８で戸閉促進表示ランプ２０及び２２を不点灯にして処理を終わる。
【００１６】
手順Ｓ１１で、戸１２及び１３が開放された状態にあるときは手順Ｓ１２へ移る。手順Ｓ１２で、かご１が停止している階の乗場呼びが登録されているか否か調べる。登録されている場合は、手順Ｓ１７及び手順Ｓ１８の処理をして終わる。登録されていない場合は、手順Ｓ１３へ移り、かご１が現に停止している階を除く他の階の乗場呼びが登録されているか調べる。他階の乗場呼びが登録されている場合は、手順Ｓ１５へ移り、かご出入口枠５及び６の戸閉促進スイッチ１９及び２１が有効になり、手順Ｓ１６で、戸閉促進表示ランプ２０及び２２を点滅点灯させて処理を終わる。
手順Ｓ１３で他階の乗場呼びが登録されていない場合は、手順Ｓ１４へ移り、かご呼びが登録されているか調べる。登録されている場合は、手順Ｓ１５及び手順Ｓ１６の処理をして終わる。登録されていない場合は、手順Ｓ１７及び手順Ｓ１８の処理をして終わる。
【００１７】
図６は、戸１２及び１３の開閉動作を行う制御回路接続図である。以下、その動作について述べる。
１．戸開動作
かご１が目的階に到着すると、停止後又は停止直前に所定時間τだけ戸開指令接点４０が閉成する。この閉成によって戸開接触器４１は付勢され、接点４１ａを介して自己保持をして戸１２及び１３が開き始める。また、戸開放時間を設定する戸開放時間設定タイマ４２も付勢されて、常閉接点４２ａは開放される。
戸１２及び１３が全開すると、戸開終点スイッチ４７が開いて戸開接触器４１は消勢されて戸開動作は終了する。
閉じている戸１２及び１３を開く場合は、かご操作盤１５の戸開釦１７を操作して戸開接触器４１を付勢する。以下、上記のとおり動作する。
また、戸閉動作中の戸１２及び１３を開く場合は、戸開釦１７を操作するか、又は戸安全スイッチ４６を作動させて接点４６ａを閉成させる。以下、上記のとおり動作する。
【００１８】
２．戸閉動作
２．１）戸開放時間の経過による戸閉動作
戸１２及び１３が開いてから戸開放時間が経過すると、戸開放時間設定タイマ４２の時限動作接点４２ａが閉成する。この閉成によって戸閉接触器４３が付勢され、接点４３ａを介して自己保持をして戸１２及び１３が閉じ始める。
戸１２及び１３が全閉すると、戸閉終点スイッチ４８が開いて戸閉接触器４３は消勢されて戸閉動作は終了する。
２．２）かご操作盤１５の戸閉釦１６による戸閉動作
戸閉釦１６を操作して戸閉接触器４３を付勢することにより、戸開放時間の経過前に戸１２及び１３の戸閉動作を開始させることができる。以下、上記のとおり動作する。
【００１９】
２．３）かご出入口枠５及び６の戸閉促進スイッチ１９、２１による戸閉動作
戸閉促進制御回路４４が図５に示す流れ図に従って作動し、戸閉促進スイッチ１９及び２１が有効とされた場合は、接点４４ｂが閉成して戸閉促進表示ランプ２０及び２２が点滅する。また、接点４４ａが閉成して戸閉促進スイッチ１９及び２１の操作を有効にする。従って、戸閉促進スイッチ１９又は２１を操作すると、戸閉促進リレー４５が付勢され、その接点４５ａが閉成される。この閉成によって戸閉接触器４３が付勢されて、戸開放時間の経過を待たずに、戸１２及び１３が閉じ始める。以下、上記のとおり動作する。
また、戸閉促進制御回路４４が図５に示す流れ図に従って作動し、戸閉促進スイッチ１９及び２１を無効とした場合は、接点４４ｂは開放されて戸閉促進表示ランプ２０及び２２は消灯したままとなる。また、接点４４ａも開放された状態となり、戸閉促進スイッチ１９又は２１を操作しても戸閉接触器４３が付勢されることはない。
【００２０】
上記実施の形態１によれば、戸閉促進手段である戸閉促進スイッチ１９及び２１を、かご１の出入口４を縁取るかご出入口枠５及び６に設けたので、かご１から降りる利用者２４は戸閉促進操作を容易に行うことができる。延いては、無為に戸１２及び１３を開放して時間を浪費するのを阻止することができる。
また、戸閉促進表示ランプ２０及び２２も、かご出入口枠５及び６に取り付けたので、戸閉促進スイッチ１９及び２１が有効に機能する状態にある場合は、その旨を容易に知得することができる。このため、戸閉促進スイッチ１９及び２１が活用されることになる。
更に、図５で、かご１が停止している階の乗場呼びが登録されている場合は、戸閉促進スイッチ１９及び２１を無効としたので、仮にかご１から降りる利用者２４が誤って操作したとしても、その操作によって戸１２及び１３が閉じ始めることはない。このため、戸閉促進スイッチ１９及び２１が操作されたことによって、停止している階の乗場１４の利用者２４が、かご１に乗り損ねることはない。
更にまた、かご１が現に停止している階の乗場呼びは登録されておらず、その階を除く他の階の乗場呼びが登録されている場合、又はかご呼びが登録されている場合は、戸閉促進スイッチ１９及び２１を有効にしたので、他の階でかご１の到着を待っている利用者２４の待ち時間を短縮することができる。これによって、エレベータの輸送能力を向上させることができる。
更にまた、戸閉促進スイッチ１９及び２１をテープスイッチとしたので、かご出入口枠５及び６に沿って上下方向に一様に延設することができ、意匠性を損うことがない。
【００２１】
実施の形態２．
図７は、この発明の実施の形態２を示す。
この実施の形態２は、かご出入口枠５及び６に、戸閉促進スイッチ１９及び２１と戸閉促進表示ランプ２０及び２２に加えて、人為操作によって作動して戸開放時間の経過後も継続して戸１２及び１３を開放させると共に戸閉動作中の戸１２及び１３を反転させて戸開きさせる戸開手段である戸開スイッチ５１及び５３と戸開表示ランプ５２及び５４も併設した。
上記実施の形態２によれば、かご１から降りる利用者２４は戸閉促進スイッチ１９及び２１を容易に操作することができると共に、かご１に乗り込む利用客５０は戸開スイッチ５１及び５３を容易に操作して戸閉阻止行うことができるので、利用客２４及び５０の乗降の実情に合った戸１２及び１３の開閉を行わせることができる。従って、無為に戸１２及び１３が開放されたままとなるのを容易に阻止することができると共に、利用者５０の乗込み中に戸１２及び１３が閉じ始めて挟まれるのを容易に阻止することができる。
【図面の簡単な説明】
【００２２】
【図１】この発明の実施の形態１におけるエレベータのかごの出入口部分を内部から見た正面図。
【図２】図１に示すＩＩ−ＩＩ線断面を矢視した断面図。
【図３】図２に示すＩＩＩ−ＩＩＩ線断面を矢視した断面図。
【図４】図３に示すＩＶ−ＩＶ線断面を矢視した断面図。
【図５】戸閉促進制御回路４４の動作を示す流れ図。
【図６】エレベータの戸閉装置の制御回路接続図。
【図７】この発明の実施の形態２におけるエレベータのかごの出入口部分を内部から見た正面図。
【図８】従来のエレベータのかごの出入口部分を内部から見た正面図。
【符号の説明】
【００２３】
１  かご、  ２  かご床、  ３  かご天井、  ４  出入口、  ５  かご出入口枠、  ６  かご出入口枠、  ７  かご出入口上枠、  ８  袖壁、  ９  側壁、  １０  袖壁、  １１  側壁、  １２  かご戸、  １３  乗場戸、  １４  乗場、  １５  かご操作盤、  １６  戸閉釦、  １７  戸開釦、  １８  かご呼び釦、  １９  戸閉促進スイッチ、  ２０  戸閉促進表示ランプ、  ２１  戸閉促進スイッチ、  ２２  戸閉促進表示ランプ、  ２３  かご位置表示器、  ２４  利用者、  ２５  側壁、  ２６  昇降路壁、  ２７  縦枠、  ２８  縦枠、  ２９  乗場釦、  ３０  ブラケット、  ４０  戸開指令接点、  ４１  戸開接触器、  ４２  戸開放時間設定タイマ、  ４３  戸閉接触器、  ４４  戸閉促進制御回路、  ４５  戸閉促進リレー、  ４６  戸安全スイッチ、  ４７  戸開終点スイッチ、  ４８  戸閉終点スイッチ、  ５０  利用者、  ５１  戸開スイッチ、  ５２  戸開表示ランプ、  ５３  戸開スイッチ、  ５４  戸開表示ランプ。
【図１】
2005306594.tif 000003
【図２】
2005306594.tif 000004
【図３】
2005306594.tif 000005
【図４】
2005306594.tif 000006
【図５】
2005306594.tif 000007
【図６】
2005306594.tif 000008
【図７】
2005306594.tif 000009
【図８】
2005306594.tif 000010